(57)【要約】    記憶媒体に記憶された医用画像又は医療情報の管理を容易にするとともに、情報漏洩を防止する。    医療情報処理装置では、メディアドライバ１７により可搬型のメディアに記憶されているデータを読み取ると、制御部１１においてこの読取データに医用画像又は医療情報のデータが含まれているか否かを判別する。当該医用画像又は医療情報のデータが含まれていると判別された場合、制御部１１は前記読取データをデータメモリ１６に記憶させる。前記読取データがデータメモリ１６に記憶されると、制御部１１は前記メディアに記憶されている医用画像又は医療情報のデータの読み取りを制限する制御を行う。
2008032525.tif 000002
【特許請求の範囲】
【請求項１】
記憶手段を備えた医療情報処理装置において、
可搬型の記憶媒体に記憶されているデータを読み取る読取手段と、
前記読み取られた読取データに医用画像又は医療情報のデータが含まれているか否かを判別し、当該医用画像又は医療情報のデータが含まれていると判別された場合、前記読取データを前記記憶手段に記憶させる情報制御手段と、
前記読取データが前記記憶手段に記憶されると、前記記憶媒体に記憶されている医用画像又は医療情報のデータの読み取りを制限する制御を行う読取制御手段と、
を備えることを特徴とする医療情報処理装置。
【請求項２】
前記読取制御手段は、前記記憶媒体に記憶されている医用画像又は医療情報の全部又は一部のデータを消去する処理を実行し、当該医用画像又は医療情報の読み取りを制限することを特徴とする請求項１に記載の医療情報処理装置。
【請求項３】
前記読取制御手段は、前記記憶媒体に記憶されている医用画像又は医療情報のデータの読取が禁止されていることを示すフラグデータを前記記憶媒体に記憶させることにより、当該医用画像又は医療情報の読み取りを制限することを特徴とする請求項１に記載の医療情報処理装置。
【請求項４】
前記情報制御手段は、前記読取データのデータ容量及び前記記憶手段において記憶可能な記憶容量を判断し、前記記憶手段における記憶容量が前記読取データのデータ容量に満たない場合、前記記憶手段における記憶容量が不足する旨を警告することを特徴とする請求項１〜３の何れか一項に記載の医療情報処理装置。
【請求項５】
前記情報制御手段は、前記記憶手段における記憶容量が不足する場合、前記記憶媒体から読み取った医用画像又は医療情報に圧縮処理を施して前記記憶手段に記憶させることを特徴とする請求項４に記載の医療情報処理装置。
【請求項６】
前記情報制御手段は、前記記憶手段における記憶容量が不足する場合、前記読取データのうち、テキストデータのみを抽出して前記記憶手段に記憶させることを特徴とする請求項４に記載の医療情報処理装置。
【請求項７】
コンピュータを、
記憶手段、
可搬型の記憶媒体に記憶されているデータを読み取る読取手段、
前記読み取られた読取データに医用画像又は医療情報のデータが含まれているか否かを判別し、当該医用画像又は医療情報のデータが含まれていると判別された場合、前記読取データを前記記憶手段に記憶させる情報制御手段、
前記読取データが前記記憶手段に記憶されると、前記記憶媒体に記憶されている医用画像又は医療情報のデータの読み取りを制限する制御を行う読取制御手段、
として機能させるためのプログラム。
【発明の詳細な説明】
【技術分野】
【０００１】
本発明は、医用画像又は医療情報の表示、情報処理等を行う医療情報処理装置及びプログラムに関する。
【背景技術】
【０００２】
従来、カード型の記憶媒体等に患者の身長や体重等の他、血液検査や尿検査等の検査結果のデータを保存し、診察に利用することが行われている（例えば、特許文献１、２、３参照）。例えば、患者が転院する際にこの記憶媒体を転院先の医師に提供する場面が挙げられる。医師はコンピュータ端末によりこの記憶媒体からデータを読み出して表示することにより、患者の体質や過去の検査結果等を把握することができる。
【特許文献１】特開平９−３２５９９９号公報
【特許文献２】特開平８−９６０４７号公報
【特許文献３】特開昭６３−１６５９５８号公報
【発明の開示】
【発明が解決しようとする課題】
【０００３】
しかしながら、上記のような記憶媒体を患者が持ち帰る場合には、その記憶媒体の管理が問題となる。例えば、病院毎、或いは診療科毎に記憶媒体が発行されると、診察や検査の度に患者が管理しなければならない記憶媒体が増えてゆく。追記型の記憶媒体を用いて複数の病院や診療科で共通に記憶媒体を使用することも考えられるが、患者はその都度記憶媒体を持参しなければならず煩雑である。また、持参するのを忘れることも想定される。【０００４】
また、記憶媒体に記憶されるデータは、患者の個人情報に関する重要なデータである。よって、全てのデータを記録した記憶媒体を持ち歩くことは情報漏洩の点から好ましくない。記憶媒体を廃棄する際においても情報漏洩を考慮した対策が必要である。
さらに、記憶媒体が多数あると、閲覧したい所望のデータが何れの記憶媒体に記憶されているのかがすぐには分からず、一度コンピュータ端末によってデータを読み取って表示しなければならない。記憶しているデータの内容を記載したラベルを各記憶媒体に貼付しておくことも考えられるが、逐一その作業を行うのは面倒である。【０００５】
本発明の課題は、記憶媒体に記憶された医用画像又は医療情報の管理を容易にするとともに、情報漏洩を防止することである。
【課題を解決するための手段】
【０００６】
請求項１に記載の発明は、
記憶手段を備えた医療情報処理装置において、
可搬型の記憶媒体に記憶されているデータを読み取る読取手段と、
前記読み取られた読取データに医用画像又は医療情報のデータが含まれているか否かを判別し、当該医用画像又は医療情報のデータが含まれていると判別された場合、前記読取データを前記記憶手段に記憶させる情報制御手段と、
前記読取データが前記記憶手段に記憶されると、前記記憶媒体に記憶されている医用画像又は医療情報のデータの読み取りを制限する制御を行う読取制御手段と、
を備えることを特徴とする。【０００７】
請求項２に記載の発明は、請求項１に記載の医療情報処理装置において、
前記読取制御手段は、前記記憶媒体に記憶されている医用画像又は医療情報の全部又は一部のデータを消去する処理を実行し、当該医用画像又は医療情報の読み取りを制限することを特徴とする。【０００８】
請求項３に記載の発明は、請求項１に記載の医療情報処理装置において、
前記読取制御手段は、前記記憶媒体に記憶されている医用画像又は医療情報のデータの読取が禁止されていることを示すフラグデータを前記記憶媒体に記憶させることにより、当該医用画像又は医療情報の読み取りを制限することを特徴とする。【０００９】
請求項４に記載の発明は、請求項１〜３の何れか一項に記載の医療情報処理装置において、
前記情報制御手段は、前記読取データのデータ容量及び前記記憶手段において記憶可能な記憶容量を判断し、前記記憶手段における記憶容量が前記読取データのデータ容量に満たない場合、前記記憶手段における記憶容量が不足する旨を警告することを特徴とする。【００１０】
請求項５に記載の発明は、請求項４に記載の医療情報処理装置において、
前記情報制御手段は、前記記憶手段における記憶容量が不足する場合、前記記憶媒体から読み取った医用画像又は医療情報に圧縮処理を施して前記記憶手段に記憶させることを特徴とする。【００１１】
請求項６に記載の発明は、請求項４に記載の医療情報処理装置において、
前記情報制御手段は、前記記憶手段における記憶容量が不足する場合、前記読取データのうち、テキストデータのみを抽出して前記記憶手段に記憶させることを特徴とする。【００１２】
請求項７に記載の発明は、
コンピュータを、
記憶手段、
可搬型の記憶媒体に記憶されているデータを読み取る読取手段、
前記読み取られた読取データに医用画像又は医療情報のデータが含まれているか否かを判別し、当該医用画像又は医療情報のデータが含まれていると判別された場合、前記読取データを前記記憶手段に記憶させる情報制御手段、
前記読取データが前記記憶手段に記憶されると、前記記憶媒体に記憶されている医用画像又は医療情報のデータの読み取りを制限する制御を行う読取制御手段、
として機能させるためのプログラムであることを特徴とする。
【発明の効果】
【００１３】
請求項１〜３、７に記載の発明によれば、記憶媒体から読み取った読取データに医用画像又は医療情報のデータが含まれていると判別すると、当該読取データを医療情報処理装置の記憶手段に記憶するので、複数の記憶媒体が提供された場合でも、記憶媒体内のデータを順次医療情報処理装置に取り込んで一括管理することが可能となる。従って、情報管理が容易となるとともに各記憶媒体からデータを読み取って所望のデータを検索したり、表示したりといったことが不要となる。また、読取データを記憶後は、記憶媒体内の医用画像又は医療情報のデータの読み取りを制限して当該データの漏洩を防止することができ、個人情報の保護を図ることができる。【００１４】
請求項４に記載の発明によれば、記憶容量の不足について警告することができる。【００１５】
請求項５、６に記載の発明によれば、記憶容量が不足する場合であっても読取データを記憶手段に記憶させることが可能となる。
【図面の簡単な説明】
【００１６】
【図１】本実施形態における医療情報処理装置及び医療情報提供システムを示す図である。
【図２Ａ】医用画像に付帯される情報例を示す図である。
【図２Ｂ】医用画像に付帯される情報例を示す図である。
【図２Ｃ】医用画像に付帯される情報例を示す図である。
【図２Ｄ】医用画像に付帯される情報例を示す図である。
【図３】医用画像又は医療情報が保存されたメディアのデータ構成例を示す図である。
【図４】医療情報処理装置の内部構成を示す図である。
【図５】医療情報処理装置により実行されるデータ表示処理の流れを示すフローチャートである。
【図６】メディアから読み取られた医用画像又は医療情報を表示する際の初期画面を示す図である。
【符号の説明】
【００１７】
１  医療情報提供システム
２  ＰＡＣＳ
３  サーバ
５  ＨＩＳ
６  モダリティ
１０  医療情報処理装置
１１  制御部
１６  データメモリ
１７  メディアドライバ
Ｍ  メディア
【発明を実施するための最良の形態】
【００１８】
まず、構成を説明する。
図１に、本実施形態における医療情報処理装置１０及び医療情報提供システム１を示す。
医療情報提供システム１は、病院等の医療機関に設置されるものであり、ＨＩＳ（Hospital Information System）５、モダリティ６、ＰＡＣＳ（Picture Archiving and Communication System）２等がネットワークＮを介して接続されて構成されている。ネットワ
ークＮの通信規格は、ＤＩＣＯＭ（Digital Imaging and Communication in Medicine）
規格によるものである。【００１９】
医療情報提供システム１は、モダリティ６によって生成された医用画像や、ＨＩＳ５、ＰＡＣＳ２のサーバ３等によって生成された医療情報をＤＢ（Data Base）４に保存し、
サーバ３においてこれを管理、提供するものである。【００２０】
ＨＩＳ５は、病院内の情報を統括的に管理するための情報管理システムである。ＨＩＳ５では検査の予約入力を受け付けて撮影オーダ情報と呼ばれる検査撮影に関する指示情報を生成する他、薬の処方箋、診療費の会計等の入力を受け付けて処方箋情報、会計情報等の医療情報を生成し、管理する。【００２１】
モダリティ６は、検査撮影を行って医用画像のデータを生成するものである。モダリティ６としては、Ｘ線撮影装置、ＣＴ（Computed Tomography）装置、ＭＲＩ（Magnetic Resonance Imaging）装置等が挙げられる。
前記撮影オーダ情報には検査対象の患者や検査、撮影により生成する医用画像に関する指示が含まれる。モダリティ６における撮影はこの撮影オーダ情報に基づいて行う。モダリティ６は撮影により生成した医用画像をＰＡＣＳ２のサーバ３に送信する。【００２２】
ＰＡＣＳ２は、ネットワークを介して医用画像のやりとりが可能な医用画像管理システムである。ＰＡＣＳ２は、サーバ３の他、画像処理装置や読影用の端末装置等（図示せず）を備えて構成されており、これらがネットワークを介して接続されている。【００２３】
ＰＡＣＳ２では、モダリティ６から医用画像が入力されるとサーバ３において当該医用画像をデータベース化してＤＢ４に保存する。データベース化は撮影オーダ情報に基づいて行う。すなわち、撮影オーダ情報から医用画像に関する基本情報を抽出し、医用画像を個々特定する情報として医用画像のヘッダ領域に書き込み、付帯させるものである。【００２４】
なお、医用画像の保存はＤＩＣＯＭ規格に従って行う。ＤＩＣＯＭ規格は、医用画像の配信、医用画像の保存フォーマット等に係る規格であり、この規格を適用することにより異なる装置間での医用画像の交換が可能となる。保存フォーマットでは、医用画像のヘッダ領域に医用画像に関する基本情報を書き込み、付帯させる際の規格が定められている。この付帯情報には、医用画像がＤＩＣＯＭ規格に従って保存されている旨の宣言を初めとして、図２Ａ〜図２Ｄに示すような医用画像に関する基本情報が含まれる。【００２５】
図２Ａ〜図２Ｄに示すように、医用画像に関する基本情報には患者情報Ｈ１、検査情報Ｈ２、シリーズ情報Ｈ３、画像詳細情報Ｈ４が含まれている。各情報Ｈ１〜Ｈ４にはその情報を個々に識別するため、患者情報Ｈ１には患者情報ＬＩＤ、検査情報Ｈ２には検査情報ＬＩＤ、シリーズ情報Ｈ３にはシリーズ情報ＬＩＤ、画像詳細情報Ｈ４には画像詳細情報ＬＩＤと呼ばれる識別情報が付与されている。患者情報ＬＩＤを検査情報Ｈ２に、検査情報ＬＩＤをシリーズ情報Ｈ３に、また患者情報ＬＩＤ、検査情報ＬＩＤ、シリーズ情報ＬＩＤを画像詳細情報Ｈ４に対応付けることにより、各情報Ｈ１〜Ｈ４を関連付けている。【００２６】
患者情報Ｈ１は、患者の名前（ＡＳＣＩＩ、カナ、漢字）、患者ＩＤ、患者の生年月日、性別等の患者に関する情報である。患者情報Ｈ１には上述した患者情報ＬＩＤが付与されている。【００２７】
検査情報Ｈ２は、検査を行った検査日付や時刻、検査時のコメント等、検査に関する情報である。検査情報Ｈ２には検査情報ＬＩＤが付与されている。また、画像管理のために発行された検査インスタンスＵＩＤ、その検査情報に対応する患者情報ＬＩＤが検査情報Ｈ２と対応付けられている。【００２８】
シリーズ情報Ｈ３は、撮影を行ったモダリティの種類を示す名称、そのモダリティのシリーズ番号、モダリティを操作した操作者の名前、そのモダリティで読取可能な最小画素値、最大画素値、検査部位等のモダリティや撮影に関する情報である。また、シリーズ情報Ｈ３には、画像管理のために発行されたシリーズインスタンスＵＩＤ、シリーズ情報Ｈ３に対応する検査情報ＬＩＤが対応付けられている。【００２９】
画像詳細情報Ｈ４は、画像が生成された際に付された画像番号、画像が生成された画像時刻、割り当てビット等のビット情報、原画像、ＤＩＣＯＭ圧縮画像、ＪＰＥＧ圧縮画像、サムネイル画像の各画像へのファイルパス名、圧縮率等の画像管理や画像生成に関する情報である。画像詳細情報Ｈ４には、その画像詳細情報Ｈ４に対応する患者情報ＬＩＤ、検査情報ＬＩＤ、シリーズ情報ＬＩＤが対応付けられる。また、画像管理のために発行された検査インスタンスＵＩＤ、シリーズインスタンスＵＩＤ及び医用画像のファイル保存場所を示すアドレスを組み合わせて構成されるＳＯＰインスタンスＵＩＤが対応付けられる。検査インスタンスＵＩＤ、シリーズＵＩＤ、画像保存アドレスは個々の医用画像によって異なるものとなるので、このように構成されたＳＯＰインスタンスＵＩＤは全ての医用画像を個別に特定することができるＩＤとなる。【００３０】
なお、ＰＡＣＳ２では上記医用画像の他、医療情報をＤＢ４に保存し管理する。医療情報とは医療に関する情報をいい、例えば処方箋情報、会計情報の他、読影用の端末で作成された読影レポート情報や電子カルテ情報等がある。また、次の診療予定や定期健康診断、献血等の患者に対しての通知情報等も含む。上記の医用画像に関する基本情報（患者情報Ｈ１、検査情報Ｈ２、シリーズ情報Ｈ３、画像詳細情報Ｈ４）も医療情報の一つである。【００３１】
ＰＡＣＳ２では、ＤＢ４に保存されている医用画像又は医療情報をサーバ３が上記読影用の端末装置等に配信する処理を行う。また、サーバ３は患者に配布するためのメディアＭに医用画像又は医療情報を記憶させ、保存する。メディアＭに記憶された医用画像又は医療情報は、患者宅に設置された医療情報処理装置１０において閲覧可能である。【００３２】
メディアＭは、ＣＤ（Compact Disk）、ＤＶＤ（Digital Versatile Disk）、小型メモリ等の可搬型の記憶媒体である。メディアＭへの医用画像及び医療情報の書き込みは、ＰＤＩ（Portable Data for Imaging）規格に従って行う。ＰＤＩはＩＨＥ（Intergrateing
the Healthcare Enterprise）又はＩＨＥ−Ｊ（IHE-Japan）によるガイドラインにおい
て定められているものである。ＩＨＥ、ＩＨＥ−ＪはＤＩＣＯＭ規格の他、ＨＬ７と呼ばれる医療機器の相互接続のために決められた規格を、臨床現場のワークフローに即して用いるために定められたガイドラインである。ＰＤＩはこのＩＨＥ及びＩＨＥ−Ｊのうち、医用画像を可搬型の記憶媒体に保存して利用する場合のデータ運用に関して定めたガイドラインである。【００３３】
図３に、上記ＰＤＩにより定められたメディアＭのデータ構造を示す。
メディアＭでは、メディアＭ内に保存されるデータの種類（医用画像、医用画像及び医療情報の表示画面に用いるコンテンツ、その他の医療情報）に応じて、主にＤＩＣＯＭＤＩＲファイル、ＤＩＣＯＭディレクトリ、ＩＨＥ−ＰＤＩディレクトリ、Ｏｔｈｅｒディレクトリが設けられる。ＤＩＣＯＭディレクトリはＤＩＣＯＭ規格に従って生成された医用画像（これをＤＣＭファイルという）についてのディレクトリであり、ＤＩＣＯＭＤＩＲファイルは当該医用画像の索引情報が記述されたものである。ＩＨＥ−ＰＤＩディレクトリはＸＨＴＭＬ、ＪＰＥＧ、ＧＩＦ形式で保存されるコンテンツファイルについてのディレクトリである。Ｏｔｈｅｒディレクトリは医療情報その他のファイルについてのディレクトリとなる。【００３４】
次に、医療情報処理装置１０について説明する。
医療情報処理装置１０は、医用画像又は医療情報の閲覧に用いられるものである。医療情報処理装置１０としてはＰＣ（Personal Computer）等の一般的なコンピュータ装置が適用可能である。
図４に、医療情報処理装置１０の構成を示す。
医療情報処理装置１０は、図４に示すように制御部１１、操作部１２、表示部１３、通信部１４、プログラムメモリ１５、データメモリ１６、メディアドライバ１７等を備えて構成されている。【００３５】
制御部１１は、ＣＰＵ（Central Processing Unit）、ＲＡＭ（Random Access Memory
）等を備えて構成されている。制御部１１はプログラムメモリ１５に記憶されている制御用のプログラムを読み出し、当該プログラムとの協働により各種演算を行ったり、各部の動作を集中制御したりする。【００３６】
操作部１２は、キーボードやマウス等を備え、これらが操作されるとその操作に応じた操作信号を生成して制御部１１に出力する。【００３７】
表示部１３は、ＬＣＤ（Liquid Crystal Display）等を備え、制御部１１の表示制御に従ってＬＣＤ上に医用画像、医療情報等を表示する。【００３８】
通信部１４は、通信用インターフェイスを備えて構成され、制御部１１の制御に従ってインターネット等のネットワーク上の外部装置に接続し、通信を行う。【００３９】
プログラムメモリ１５は、制御部１１によって実行されるプログラム、プログラムの実行に必要なパラメータ、データ等を記憶している。【００４０】
データメモリ１６は、メディアＭから読み取った医用画像、医療情報等の各種データを記憶するためのメモリである。【００４１】
メディアドライバ１７は、制御部１１の読取制御に従ってメディアＭに記憶されているデータを読み出す処理を実行する。また、制御部１１の書込制御に従ってメディアＭに各種データを書き込む処理を実行する。【００４２】
次に、上記医療情報処理装置１０の動作について説明する。
患者に医用画像や読影レポート、電子カルテ等の医療情報を提供する場合、サーバ３によって医用画像又は医療情報をメディアＭに書き込むことが可能である。医師は当該メディアＭを患者に提供することにより、患者自身の医用画像又は医療情報を提供することができる。患者は自宅の医療情報処理装置１０においてメディアＭ内のデータを読み込み、表示を行わせることにより、医用画像又は医療情報を閲覧することが可能である。【００４３】
以下、図５を参照して、メディアＭ内のデータの読み取り、表示を行う際に医療情報処理装置１０において実行されるデータ表示処理を説明する。データ表示処理はメディアＭがメディアドライバ１７に挿入されたことを制御部１１において検出すると開始されるものとする。【００４４】
図５に示すデータ表示処理では、制御部１１の読取制御に従いメディアドライバ１７においてメディアＭ内のデータを読み取る（ステップＳ１）。制御部１１では読み取られたデータ（以下、読取データという）を解析し、当該データは医用画像又は医療情報のデータであるか否かを判断する（ステップＳ２）。メディアＭがＰＤＩ規格に従ってデータの書込が行われたものである場合、図３に示すような構造を呈している。よって、制御部１１は図３に示すＤＩＣＯＭ  ＤＩＲファイルを参照することにより、読取データにＤＩＣＯＭによる医用画像が含まれていると判断することができる。同様に、Ｏｔｈｅｒディレクトリを参照することにより、読取データに医療情報が含まれているか否かを判断することができる。【００４５】
読取データが医用画像又は医療情報のデータではない場合（ステップＳ２；Ｎ）、そのデータ種に応じた処理に移行する。例えば、一般の音楽データ等である場合には音楽データの再生処理に移行する。【００４６】
一方、読取データが医用画像又は医療情報であると判断された場合（ステップＳ２；Ｙ）、制御部１１は読取データのデータ容量と、内部メモリであるデータメモリ１６の記憶容量（記憶可能な残りデータ容量）とを判断し、データメモリ１６の記憶容量は読取データのデータ容量を下回るか否かを判断する（ステップＳ３）。【００４７】
データメモリ１６の記憶容量が読取データのデータ容量以上となる場合（ステップＳ３；Ｎ）、制御部１１は読取データを内部メモリであるデータメモリ１６に記憶させ、保存する（ステップＳ６）。読取データに含まれる医用画像、コンテンツデータ又は医療情報は対応付けてデータベース化し、保存する。
一方、データメモリ１６の記憶容量が読取データのデータ容量を下回る場合（ステップＳ３；Ｙ）、制御部１１の表示制御により、読取データを保存するにはデータメモリ１６の記憶容量が不足する旨を警告する警告メッセージを生成して表示部１３上に表示させる（ステップＳ４）。次いで、制御部１１は読取データに圧縮処理を施し、得られた圧縮データをデータメモリ１６に記憶させ、保存する（ステップＳ５）。【００４８】
なお、記憶容量が不足する場合、データ容量が大きい医用画像は保存せずに、データ容量が比較的小さいテキストデータのみを読取データから抽出してデータメモリ１６に記憶させることとしてもよい。テキストデータの例としては、医療情報では読影レポート、処方箋におけるテキストデータの他、医用画像に付帯されている患者情報Ｈ１、検査情報Ｈ２、シリーズ情報Ｈ３、画像詳細情報Ｈ４に含まれるテキストデータ等が挙げられる。【００４９】
読取データの保存が終了すると、制御部１１はメディアＭに対し読取制限処理を実行し、メディアＭ内のデータの読み取りを不可能とする制御を行う（ステップＳ７）。
読取制限処理では、制御部１１はメディアＭ内に記憶されている医用画像又は医療情報に対し、その全部又は一部を消去する処理をメディアドライバ１７に実行させる。具体的には、メディアドライバ１７によりメディアＭ内の医用画像又は医療情報の記憶領域において乱数値又は固定値を上書きする等して医用画像又は医療情報の消去を行う。【００５０】
なお、読み取りを不可能とできるのであれば他の方法であってもよい。例えば、Ｏｔｈｅｒディレクトリにおいて読み取りの禁止を示すフラグデータを書き込むこととしてもよい。この場合、メディアＭ内にＰＤＩビューアソフト（ＰＤＩ規格のデータ閲覧用のソフト）を保存しておき、そのソフトによってフラグデータを認識することにより、以後、他の装置においてメディアＭ内のデータを読み取る際には先にディレクトリ内のフラグデータを読み取ることとなり、ディレクトリにより示される医用画像や医療情報の読み取りが禁止されていると判断して読み取られないものとなる。【００５１】
読取制限処理を終了すると、制御部１１はデータメモリ１６に保存されている読取データを読み出し、読取データに含まれる医用画像又は医療情報の表示制御を行う。読取データには医用画像又は医療情報の表示画面に用いるコンテンツのファイルが含まれているので、制御部１１はこのコンテンツファイルを用いて表示画面を構成し、表示部１３上に表示させる（ステップＳ８）。【００５２】
図６は、医用画像又は医療情報を表示するための初期画面例を示す図である。
図６に示すように、初期画面ｄでは制御部１１の表示制御により医用画像の付帯情報に基づいて患者ＩＤ、患者の名前、性別、検査日付等の患者情報及び検査情報ｄ１が表示されている。また、制御部１１によってシリーズ毎に医用画像が分類され、モダリティや検査部位等のシリーズ情報ｄ２が表示されているとともに、当該医用画像の表示指示を行うためのアイコンｄ３が個々の医用画像について生成され、表示されている。さらに、処方箋や診療費等の診療に関する医療情報を表示させるための診療キーｄ４が表示されている。
操作部１２を介してこのアイコンｄ３や診療キーｄ４が操作されると、制御部１１はその操作に応じて表示画面上にアイコン３ｄに対応する医用画像又は医療情報を表示部１３上に表示させる。【００５３】
以上のように、本実施形態によれば、メディアＭ内から読み取った読取データに医用画像又は医療情報のデータが含まれていると判断すると、当該読取データを医療情報処理装置１０の内部メモリに記憶させる。これにより、診察毎にメディアＭが患者に提供された場合でもメディアＭ内のデータは順次データベース化されて医療情報処理装置１０によって管理することが可能となる。従って、複数メディアＭ内のデータを一括管理することができ、複数のメディアＭ内のデータを逐一読み取って所望のデータを探索したり、表示したりといった煩雑な作業が不要となる。【００５４】
また、読取データを保存後は、メディアＭ内に記憶されている医用画像又は医療情報について読取を不可能とする読取制限処理を施す。これにより、個人情報である医用画像又は医療情報の漏洩を防止することが可能となる。メディアＭは携帯の利便性が高い一方で紛失しやすい。また、メディアＭを廃棄する場合も考慮すると、データを読取後はデータ漏洩を防止することにより個人情報の保護を図ることが可能となる。
【産業上の利用可能性】
【００５５】
情報処理の分野において利用することが可能であり、医療情報を処理する医療情報処理装置、プログラムに適用することができる。
【図１】
2008032525.tif 000003
【図２Ａ】
2008032525.tif 000004
【図２Ｂ】
2008032525.tif 000005
【図２Ｃ】
2008032525.tif 000006
【図２Ｄ】
2008032525.tif 000007
【図３】
2008032525.tif 000008
【図４】
2008032525.tif 000009
【図５】
2008032525.tif 000010
【図６】
2008032525.tif 000011
【国際調査報告】
2008032525.tif 000012
2008032525.tif 000013
2008032525.tif 000014
2008032525.tif 000015